(57)【要約】【課題】凹条部に不適切な色や模様が露出していない板状建材、および、凹条部に対する加飾ミス、特に下地処理のミスの発生を効率よく防止できる板状体凹条部の加飾方法を提供する。【解決手段】板状建材１は、板状体１０の化粧面に凹条部（目地溝１３）が形成され、凹条部の表面が加飾層２１で覆われている。板状体１０は、基材１１と化粧材１２を有し、基材１１と化粧材１２との間に基材１１の色よりも淡い色の樹脂含浸紙１７が配され、凹条部は、化粧材１２の表面から基材１１にいたるまでの深さに形成されており、加飾層２１は、凹条部における側面１３ｂ、１４ｂに表れている基材１１の断面をすくなくとも隠した下地隠し層２２の表面全体と、凹条部における側面１３ｂ、１４ｂに表れている樹脂含浸紙１７の断面とを覆うように形成されている。【選択図】図１
2016211273.tif 000002
【特許請求の範囲】
【請求項１】
板状体の化粧面に凹条部が形成され、該凹条部の表面が加飾層で覆われた板状建材であって、
前記板状体は、基材と化粧材を有し、前記基材と前記化粧材との間に前記基材の色よりも淡い色の樹脂含浸紙が配されており、
前記凹条部は、前記化粧材の表面から前記基材にいたるまでの深さに形成されており、
前記加飾層は、前記凹条部における側面に表れている前記基材の断面をすくなくとも隠した下地隠し層の表面全体と、前記凹条部における側面に表れている前記樹脂含浸紙の断面とを覆うように形成されていることを特徴とする板状建材。
【請求項２】
請求項１において、
前記樹脂含浸紙および前記下地隠し層は白色とされる、板状建材。
【請求項３】
板状体の化粧面に形成された凹条部にインクジェット装置を用いて加飾を行う板状体凹条部の加飾方法であって、
前記板状体は、基材と化粧材を有し、前記基材と前記化粧材との間に前記基材の色よりも淡い色の樹脂含浸紙が配されており、
前記凹条部は、前記化粧材の表面から前記基材にいたるまでの深さに形成されており、
前記凹条部における側面に表れている前記基材の断面を隠すように前記インクジェット装置による下地処理をして下地隠し層を形成し、該下地隠し層の表面全体と、前記凹条部における側面に表れている前記樹脂含浸紙の断面とを覆うように加飾を施すことを特徴とする板状体凹条部の加飾方法。
【請求項４】
請求項３において、
前記樹脂含浸紙および前記下地処理に用いるインクは白色とされる、板状体凹条部の加飾方法。
【発明の詳細な説明】
【技術分野】
【０００１】
本発明は、板状体の化粧面に凹条部が形成され、その凹条部の表面が加飾層で覆われた板状建材、および板状体の化粧面に形成された凹条部にインクジェット装置を用いて加飾を行う板状体凹条部の加飾方法に関する。
【背景技術】
【０００２】
従来、板状体の化粧面に形成された目地溝や面取り部などの凹条部に加飾を施す方法が多く提案されている（たとえば、特許文献１参照）。この文献技術は、凹条部に対して、インクジェット装置を用いて加飾を行うものである。
【０００３】
この方法によれば、薄板の化粧材を用いることで、加飾前の凹条部内に化粧材と基材とを含む複数層の断面が表れている場合でも、そのような複数層の断面を隠して、凹条部を化粧面に合致した適切な色柄などに加飾することができる。厚めの化粧材を用いてあるような外観にすることもでき、高級感のある板状建材を形成することができる。
【０００４】
このような色や模様の加飾は、下地面を整えるために、また加飾を一定に施すために、加飾の前にまず白色などのインクを用いた下地処理をすることが一般的である。このような下地処理は、基材の色が加飾した色や模様を通して透ける基材写りを防止するためにも必要とされる。
【先行技術文献】
【特許文献】
【０００５】
【特許文献１】特開２０１２−２２４００５号公報
【発明の概要】
【発明が解決しようとする課題】
【０００６】
ところで、凹条部に対する加飾処理は、下地処理により形成した下地隠し層のたとえば白色などの表面色が露出しないように、下地隠し層の表面をすべて覆うように行う必要がある。しかし、そのような点を考慮して加飾を行ったとしても、従来には種々の加飾ミスの発生のおそれがあった。
【０００７】
図５（ａ）（ｂ）は、従来の加飾ミスによる不具合を有した板状建材の２例を示す図である。これらの図はいずれも、上の図が目地溝１０１部分の縦断面図、下の図がそれに対応した部分平面図である。また、１１１は板状建材１００の主たる構成部材である基材であり、１１２は同化粧材である。
【０００８】
図５（ａ）に示した板状建材１００は、目地溝１０１内の下地隠し層１０３が加飾層１０２の幅方向の外がわに越えて白色線Ｗ１として露出した例の図である。下地処理の領域を加飾処理の領域と同じにしようとしても、図５（ａ）のように、誤差により下地隠し層１０３がわずかにはみ出るという可能性がある。
【０００９】
また、下地隠し層１０３のはみ出しを回避するために、下地処理の幅方向の領域を加飾処理の領域よりも十分に小さくすることが考えられる。しかし、図５（ｂ）に示したように、下地処理の領域を小さくすれば、誤差により下地隠し層１０３が目地溝１０１の側面に表出した基材１１１の断面を隠しきれない可能性がある。その場合には、図５（ｂ）に示すように、適切な領域に加飾層１０２を形成しても基材写りによる黒ずみＷ２が表出する。
【００１０】
本発明は、このような事情を考慮して提案されたもので、その目的は、凹条部に不適切な色や模様が露出していない板状建材、および、凹条部に対する加飾ミス、特に下地処理のミスの発生を効率よく防止できる板状体凹条部の加飾方法を提供することにある。
【課題を解決するための手段】
【００１１】
上記目的を達成するために、本発明の板状建材は、板状体の化粧面に凹条部が形成され、凹条部の表面が加飾層で覆われた板状建材であって、板状体は、基材と化粧材を有し、基材と化粧材との間に基材の色よりも淡い色の樹脂含浸紙が配され、凹条部は、化粧材の表面から基材にいたるまでの深さに形成されており、加飾層は、凹条部における側面に表れている基材の断面をすくなくとも隠した下地隠し層の表面全体と、凹条部における側面に表れている樹脂含浸紙の断面とを覆うように形成されていることを特徴とする。
【００１２】
また、上記目的を達成するために、本発明の板状体凹条部の加飾方法は、板状体の化粧面に形成された凹条部にインクジェット装置を用いて加飾を行う板状体凹条部の加飾方法であって、板状体は、基材と化粧材を有し、基材と化粧材との間に基材の色よりも淡い色の樹脂含浸紙が配され、凹条部は、化粧材の表面から基材にいたるまでの深さに形成されており、凹条部における側面に表れている基材の断面を隠すようにインクジェット装置による下地処理をして下地隠し層を形成し、下地隠し層の表面全体と、凹条部における側面に表れている樹脂含浸紙の断面とを覆うように加飾を施すことを特徴とする。
【発明の効果】
【００１３】
本発明の板状建材によれば、上述した構成となっているため、凹条部に不適切な色や模様が露出せず、すぐれた美感を創出することができる。
【００１４】
また、本発明の板状体凹条部の加飾方法によれば、上述した手順となっているため、凹条部に対する加飾ミス、特に下地処理のミスの発生を防止でき、美観にすぐれた板状建材を効率よく生成することができる。
【図面の簡単な説明】
【００１５】
【図１】本発明の一実施形態に係る板状建材の説明図である。（ａ）は平面図、（ｂ）は（ａ）のＡ−Ａ線に対応した拡大縦断面図および要部をさらに拡大した縦断面図、（ｃ）は（ａ）のＢ−Ｂ線に対応した拡大縦断面図および要部をさらに拡大した縦断面図である。
【図２】凹条部（目地溝）を含む板状建材の部分縦断面図および凹条部近傍の部分平面図である。
【図３】本発明の一実施形態に係る板状体凹条部の加飾方法を実施するためのインクジェット装置および搬送ラインの概略斜視図である。
【図４】インクジェット装置の他例を示す平面図である。
【図５】（ａ）（ｂ）は、従来の加飾ミスによる不具合を有した板状建材の２例を示す部分縦断面図および部分平面図である。
【発明を実施するための形態】
【００１６】
以下に、本発明の実施形態に係る板状建材、および、板状体凹条部の加飾方法の実施形態について、添付図面を参照して説明する。まず、図１を参照しながら、板状建材１の概略構成について説明する。
【００１７】
本板状建材１は、板状体１０の化粧面に凹条部（目地溝１３、面取り部１４など）が形成され、その凹条部の表面が加飾層２１で覆われた建材である。板状体１０は、基材１１と化粧材１２を有し、基材１１と化粧材１２との間に基材１１の色よりも淡い色の樹脂含浸紙１７が配されている。この凹条部は、化粧材１２の表面から基材１１にいたるまでの深さに形成されている。
【００１８】
加飾層２１は、凹条部における側面１３ｂ、１４ｂに表れている基材１１の断面をすくなくとも隠した下地隠し層２２の表面全体と、凹条部における側面１３ｂ、１４ｂに表れている樹脂含浸紙１７の断面とを覆うように形成されている。
【００１９】
板状建材１は、たとえば床材などに用いられる建材である。なお、凹条部としては、床材の表面に表れる目地溝１３や面取り部１４が挙げられる。
【００２０】
ついで、図１にもとづいて、板状建材１の詳細について説明する。
【００２１】
加飾の対象となる板状体１０は、合板、ＭＤＦなどよりなる木質系の基材１１と、その基材１１の表面に貼着された樹脂含浸紙１７と、さらにその上に貼着された、化粧面を形成するための化粧材１２とを備えている。また、板状体１０の四周には、床下地上で建材同士を連設するための実部が形成されている。図１（ａ）に示すように、雄実部１１ａ、１１ａが２辺の外側に突出している。
【００２２】
本実施形態のものでは、樹脂含浸紙１７として、厚み０．３ｍｍ程度の白色系のものが用いられている。上述したように、樹脂含浸紙１７の色は基材１１よりも十分に淡いものが望ましく、下地処理で用いられる白色インクに合わせることが特に望ましい。化粧材１２としては、複数のフリッチ材を集成し、０．２０ｍｍ〜０．４５ｍｍ程度の厚さにスライスして形成した集成化粧材１２が用いられている。
【００２３】
図１（ａ）に示すように、目地溝１３のうち、長手方向に形成された列方向の溝が縦溝であり、同列内の化粧材１２を区切る溝が横溝である。これらの目地溝１３、１３はいずれも、図１（ｂ）に示すように、溝底１３ａが尖鋭形状となっている。また、面取り部１４は、目地溝１３内の一方の側面１３ｂとおおむね同様の断面形状となっている。
【００２４】
目地溝１３および面取り部１４は、化粧材１２の表面から基材１１の上部にいたるまで掘り込まれている。そのため、加飾前の目地溝１３、面取り部１４の傾斜した側面１３ｂ、１４ｂには、化粧材１２、樹脂含浸紙１７、基材１１（の上部）の各層の断面が表れている。
【００２５】
目地溝１３および面取り部１４の側面１３ｂ、１４ｂは、いずれも斜め上方向にアール状に膨出した形状となっており、それらの湾曲した側面１３ｂ、１４ｂには、下地処理による下地隠し層２２と、色や模様を形成するための加飾層２１とが形成されている。
【００２６】
図１（ｂ）（ｃ）の各要部拡大図に示すように、目地溝１３および面取り部１４の加飾による被覆層は、下地隠し層２２と、その上の加飾層２１とよりなる。図２には、目地溝１３とその近傍について部分縦断面図および部分平面図が示してある。なお図２は、従来の加飾ミスを例示した図５（ａ）（ｂ）と対応している。
【００２７】
下地隠し層２２は、白色のインクによる下地処理によって形成された層であり、樹脂含浸紙１７の色と概ね合致している。図２に示すように、目地溝１３内における下地隠し層２２は、目地溝１３の幅方向において、溝底１３ａを中心にその両がわの側面１３ｂ、１３ｂにおいて、基材１１の露出した断面全体と、樹脂含浸紙１７の露出した断面の下方がわの一部とを覆っている。つまり、下地隠し層２２は、目地溝１３の幅方向において、一方の側面１３ｂの樹脂含浸紙１７の断面の中間から、溝底１３ａを介して、他方の側面１３ｂの樹脂含浸紙１７の断面の中間にいたるまで形成されている。
【００２８】
また加飾層２１は、図２に示すように、下地処理された部位つまり下地隠し層２２の表面全体を覆い、さらに樹脂含浸紙１７の上方がわの断面１３ｂを覆うように、目地溝１３の幅方向における全体にわたり形成されている。
【００２９】
凹条部の加飾層２１の表面色、模様としては、たとえば隣接する化粧材１２の断面として適切な色、模様が挙げられる。凹条部にこのような加飾がなされていれば、凹条部が厚めの化粧材１２や無垢材が用いてあるような外観となり、高級で立体感のある意匠性を表現することができる。なお目地溝１３の場合、溝底１３ａを中心とした両側面１３ｂ、１３ｂに、目地溝１３の両隣の化粧材１２、１２のそれぞれに合致するように色、模様が施された板状建材１であってもよい。
【００３０】
以上のように、この板状建材１によれば、下地隠し層２２が板状体１０の目地溝１３の側面１３ｂに表れる基材１１の断面を覆い隠しているため、加飾層２１の表面に基材１１の黒ずみＷ２（従来図・図５（ｂ）参照）が透けて見えるおそれはない。また、下地隠し層２２は溝底１３ａを中心として樹脂含浸紙１７の断面の下部に対し形成され、その下地隠し層２２の表面全体を隠すように加飾層２１が形成されているため、下地隠し層２２の白色線Ｗ１（従来図・図５（ａ）参照）は外部に露出していない。
【００３１】
ようするに、この板状建材１は、目地溝１３内の適切な部位に下地処理がなされているため、基材写りによる黒ずみや、下地隠し層２２の露出による白色線が表出されて美感が損なわれることはない。特に、目地溝１３に化粧材１２の断面を模した加飾がなされた板状建材１によれば、上述したように、立体感を演出することができる。
【００３２】
また、本板状建材１は、下地隠し層２２が加飾層２１よりも領域が小さめであるが、樹脂含浸紙１７と同色であるため、下地隠し層２２と、下地隠し層２２によって覆われていない樹脂含浸紙１７の断面との色差による加飾ミスが発生するおそれはほとんどない。
【００３３】
なお、凹条部として図２に示した目地溝１３の例を示したが、面取り部１４についても同様である。図１（ｂ）（ｃ）に示すように、面取り部１４は目地溝１３と深さがほぼ同じであり、湾曲した側面１４ｂに対する下地隠し層２２および加飾層２１による層構造についても、目地溝１３の一方の側面１３ｂと概ね同様である。よって、面取り部１４によっても目地溝１３と同様の効果が奏せられる。
【００３４】
以上に示した板状建材１は、凹条部内の下地隠し層２２および加飾層２１を、たとえば後述するインクジェット装置３０（図３参照）で形成したものであってもよいし、他の塗装手段により形成したものであってもよい。
【００３５】
つぎに、板状体１０の凹条部への加飾方法について、図３を参照しながら説明する。なお、以下の加飾方法は、凹条部への加飾が、それに隣接する化粧材１２の色、模様に合わせてなされるようになっているが、これには限定されず、どのような色、模様の加飾がなされるようにしてもよい。
【００３６】
この板状体凹条部の加飾方法は、板状体１０の化粧面に形成された凹条部（目地溝１３、面取り部１４）にインクジェット装置３０を用いて加飾を行う方法である。板状体１０は、基材１１と化粧材１２を有し、基材１１と化粧材１２との間に基材１１の色よりも淡い色の樹脂含浸紙１７が配され、凹条部は、化粧材１２の表面から基材１１にいたるまでの深さに形成されている。なお、樹脂含浸紙１７として白色のものが用いられることが望ましい。
【００３７】
この加飾方法は、次のような手順を実行してなる。
まず、凹条部における側面１３ｂ、１４ｂに表れている基材１１の断面を隠すように、インクジェット装置３０による下地処理をして下地隠し層２２を形成する。ついで、下地隠し層２２の表面全体と、凹条部における側面１３ｂ、１４ｂに表れている樹脂含浸紙１７の断面とを覆うように加飾を施す。
【００３８】
図３は、板状体凹条部の加飾方法に用いられる装置および搬送ラインを模式的に示した斜視図である。この加飾方法（工程）は、凹条部（目地溝１３、面取り部１４）が形成された板状体１０が搬送ライン（搬送装置４０）により搬送されながら、凹条部にインクジェット装置３０により加飾が施される工程である。
【００３９】
加飾工程に搬送されてくる板状体１０は、基材１１の上に樹脂含新紙１７が貼着され、その上に化粧材１２が貼着されて構成されている。上述したように化粧材１２は薄板であるため、凹条部内の側面１３ｂ、１４ｂには基材１１の上部の断面が露出している（図１参照）。
【００４０】
搬送ラインには、加飾を施すためのインクジェット装置３０が配されている。このインクジェット装置３０は、凹条部に対して加飾を行う前に、加飾情報として、凹条部の位置、幅と、凹条部に隣接する化粧材１２の色、模様とを搬送ライン上で取得する構成となっている。
【００４１】
なお、図３には、搬送ライン上に複数の板状体１０が搬送されているように示してあるが、白抜き矢印を付記してあるように、これらは１つの板状体１０の流れを示したものである。
【００４２】
インクジェット装置３０は、図３に示すように、凹条部内への下地処理を行うインクジェットヘッド３２と、凹条部内に加飾を施すインクジェットヘッド３１と、それらの上流側に設置された化粧面画像などを検出するための画像センサ３３とを備えている。インクジェット装置３０は、他の構成部として上記各部を制御する制御部（不図示）を備えている。
【００４３】
このインクジェット装置３０は、搬送ラインの所定の位置に固定され、搬送装置４０上に載せられて移動する板状体１０に対して加飾を施すことのできる装置である。加飾処理用のインクジェットヘッド３１は、複数の色に対応した複数のインクノズル（不図示）を有し、それらは搬送ラインを横切るように移動制御される。一方、下地処理用のインクジェットヘッド３２は、単色インクを凹条部内の所定の領域に吐出する構成となっている。なお、この装置で用いられる下地処理用のインクは白色であり、板状体１０の樹脂含浸紙１７の色と同じである。
【００４４】
また、画像センサ３３は、たとえばレーザ変位計や撮像素子（ＣＣＤ）を用いたセンサであり、化粧材１２表面の色や模様と、板状体１０の表面の凹条部の位置、幅の加飾情報とを、搬送ライン上で移動する板状体１０より取得する構成となっている。
【００４５】
このようなインクジェット装置３０は、まず画像センサ３３の動作により、化粧材１２表面の色や模様と、目地溝１３や面取り部１４の位置、幅などを搬送ライン上で取得する。位置に関する情報としては、凹条部の位置や幅寸法の他に、凹条部内の側面１３ｂ、１４ｂに表れる基材１１、樹脂含浸紙１７、化粧材１２の断面の各境界位置などが含まれる。ようするに、凹条部内の、幅方向における基材１１、樹脂含浸紙１７、化粧材１２の断面の領域を判別できる情報を、インクジェット装置３０が取得できればよい。
【００４６】
また、凹条部への加飾の色、模様は、取得した化粧材１２の色や模様にもとづいて変換して生成されるようになっている。上述したように、化粧材１２の断面に合致した適切な色や模様に変換することが望ましい。なお、加飾すべき色や模様は、画像センサ３３で検出した化粧材１２の色や模様にもとづいて生成されなくてもよく、あらかじめ保存されたものであってもよい。
【００４７】
ついで、インクジェット装置３０は、下地処理用のインクジェットヘッドを動作させて、画像センサ３３より取得した情報にもとづいて、凹条部内に表れている基材１１の断面を隠すように下地処理をして下地隠し層２２を形成する。
【００４８】
具体的には、下地処理用のインクジェットヘッド３２は、凹条部内の側面１３ｂ、１４ｂにおける、基材１１の断面全領域と、樹脂含浸紙１７の断面のたとえば幅方向の中間よりも下方がわの部位とに対してインクを吐出するように制御されればよい。
【００４９】
つぎに、インクジェット装置３０は、加飾処理用のインクジェットヘッド３１を動作させて、画像センサ３３より取得した情報にもとづいて、下地隠し層２２の表面全体と、下地隠し層２２が形成されなかった樹脂含浸紙１７の断面とを覆うように加飾処理をする。それにより加飾層２１が形成される。
【００５０】
具体的には、加飾処理は、図１に示した加飾層２１を形成するために凹条部の幅方向の全領域に対してなされるようにすればよい。なお、本実施形態の例では凹条部内の側面１３ｂ、１４ｂが湾曲していることによる化粧材１２と凹条部との境界の検出誤差を考慮して、凹条部の幅寸法の規定値を用いて化粧材１２と凹条部との境界を算出してもよい。
【００５１】
また、加飾処理は、取得した化粧材１２の色、模様をもとに変換し、生成した凹条部用の色、模様に合致するようにインクジェットヘッド３１によってなされる。
【００５２】
このような下地処理、加飾処理の手順を経て、板状体１０の凹条部に加飾が施された板状建材１が生成される。
【００５３】
本加飾方法によれば、上述した手順となっているため、凹条部に対する加飾ミスの発生を防止でき、美観にすぐれた板状建材１を効率的に生成することができる。具体的には、下地隠し層２２は樹脂含浸紙１７の断面の一部を含む凹条部の下方部のみに形成する手順となっているため、下地隠し層２２が加飾層２１より外がわにはみ出て白色線Ｗ１として露出するおそれはない（図２、図５（ａ）を比較参照）。また、下地隠し層２２はすくなくとも基材１１の断面を隠すようになっているため、黒ずみＷ２の基材写りが発生するおそれもない（図２、図５（ｂ）を比較参照）。
【００５４】
また、板状体１０の凹条部内には樹脂含浸紙１７の断面が所定の幅寸法で表れているため、その幅寸法内に下地処理の誤差を吸収させることができる。つまり、上述したように、下地隠し層２２の上部がわ端部の目標値を樹脂含浸紙１７の断面の中間に定めておけば、下地処理に誤差が生じた場合でも、その誤差を樹脂含浸紙１７の断面領域内で吸収することができる。ようするに、凹条部内の樹脂含浸紙１７の断面領域は境界線ではなく所定の幅があるため、下地隠し層２２の始端、終端を樹脂含浸紙１７の断面領域内に収まるように下地処理を実行すればよい。つまり、樹脂含浸紙１７の断面領域を下地処理の目安として利用することができる。
【００５５】
また、樹脂含浸紙１７と下地処理用のインクとを同色にしておけば、樹脂含浸紙１７の断面の一部が下地処理によって覆われない場合でも、その露出断面はインク色と同色であるため加飾の色や模様に悪影響を及ぼすおそれはない。特に、樹脂含浸紙１７として白色のものを用いれば、一般的に下地処理に用いられる白インクに合わせやすく、色差が発生する可能性は低く、樹脂含浸紙１７の露出断面を擬似下地隠し層として利用することができる。
【００５６】
なお、本実施形態では、凹条部内の樹脂含浸紙１７の断面の幅方向の中間を目標値として下地処理をする例を示したが、樹脂含浸紙１７の断面の上端位置を目標値としたものであってもよい。つまり、下地処理の領域は、基材１１の断面の全領域を隠し、かつ、加飾を施す領域内に収まるような大きさとすればよい。
【００５７】
以上には、搬送ライン（搬送装置４０）で移動する板状体１０に加飾する方法を示したが、図４に示すように、板状体１０を固定し、その板状体１０に対してインクジェットヘッド３１、３２を移動させながら加飾する方法をとってもよい。
【００５８】
図４に示したインクジェット装置３０は、印刷テーブル４５に加飾対象である板状体１０を載せ置き固定して使用するものである。このインクジェット装置３０は、印刷テーブル４５に固定された板状体１０の凹条部に対する下地処理用のインクジェットヘッド３２と、加飾処理用のインクジェットヘッド３１とを備えている。なお、符号３９はインクジェットヘッド３１、３２を制御する制御部である。なお、図３に示したものと同様に、板状体１０の化粧面画像を検出するためのＣＣＤラインセンサなどで構成された画像センサを設けてもよい。
【００５９】
インクジェットヘッド３１、３２は、図５に示すように、印刷テーブル４５の短手方向Ｘに架け渡すように設置され、それぞれが長手方向Ｙに移動できるようになっている。
【００６０】
このインクジェット装置３０は、まず下地処理用のインクジェットヘッド３２が長手方向Ｙに沿って移動しながら板状体１０の目地溝１３、面取り部１４に下地隠し層２２（図１参照）を形成する。ついでこのインクジェット装置３０は、加飾処理用のインクジェットヘッド３１が長手方向Ｙに沿って移動しながら板状体１０の目地溝１３、面取り部１４に加飾層２１（図１参照）を形成する。なお、凹条部の位置情報などは、前工程で画像センサで取得するか、あるいは、凹条部の位置や幅などが決まっているものであれば予め保存しておけばよい。
【００６１】
このように図４に示したインクジェット装置３０であっても、図３に示した搬送による下地処理および加飾処理と同様の処理を実施することができ、そのため図３で説明した板状体凹条部の加飾方法と同様の効果をあげることができる。
【符号の説明】
【００６２】
１          板状建材
１０        板状体
１１        基材
１２        化粧材
１３        目地溝（凹条部）
１３ａ      溝底
１３ｂ      側面
１４        面取り部（凹条部）
１４ｂ      側面
１７        樹脂含浸紙
２１        加飾層
２２        下地隠し層
【図１】
2016211273.tif 000003
【図２】
2016211273.tif 000004
【図３】
2016211273.tif 000005
【図４】
2016211273.tif 000006
【図５】
2016211273.tif 000007